【手続補正書】
【提出日】平成16年6月3日(2004.6.3)
【手続補正１】
【補正対象書類名】明細書
【補正対象項目名】発明の名称
【補正方法】変更
【補正の内容】
【発明の名称】遠隔鑑賞システム及び遠隔利用システム
【手続補正２】
【補正対象書類名】明細書
【補正対象項目名】特許請求の範囲
【補正方法】変更
【補正の内容】
【特許請求の範囲】
【請求項１】
映画上映、音楽演奏、演劇、オペラ、寄席、マジック・ショー、スポーツの試合などのイベントを鑑賞するために備えられた有限個数の座席の中の特定の座席を利用してイベントを遠隔のユーザーが遠隔から鑑賞するための遠隔鑑賞システムであって、
前記有限個数の座席の中の特定の座席を事前に予約するための座席予約画面を表示するための情報を遠隔のユーザー側に送信するための座席予約画面送信手段と、
前記遠隔ユーザー側からの情報を受信して前記遠隔ユーザーによる前記有限個数の座席の中の策定の座席の予約を受け付けるための予約受付手段と、
前記遠隔ユーザーが予約した前記特定の座席又はその上方に配置されたカメラ及び／又はマイクであって、前記イベントが開始される開始時刻と同時に又はその少し前から駆動され、前記イベントの映像及び／又は音情報を取得するためのカメラ及び／又はマイクと、
前記カメラ及び／又はマイクにより取得された映像及び／又は音情報を略リアルタイムに前記遠隔ユーザー側に送信するための映像等送信手段と、
前記特定の座席又はその上方に配置されたスピーカであって、前記遠隔ユーザー側から送信される情報に基づいて、前記遠隔ユーザーによる拍手や音声などの音情報を略リアルタイムに前記特定の座席側から出力するためのスピーカと、
を備えたことを特徴とする遠隔鑑賞システム。
【請求項２】
映画上映、音楽演奏、演劇、オペラ、寄席、マジック・ショー、スポーツの試合などのイベントを鑑賞するために備えられた有限個数の座席の中の特定の座席を利用してイベントを遠隔のユーザーが遠隔から鑑賞するための遠隔鑑賞システムであって、
前記有限個数の座席の中の特定の座席を事前に予約するための座席予約画面を表示するための情報を遠隔のユーザー側に送信するための座席予約画面送信手段と、
前記遠隔ユーザー側からの情報を受信して前記遠隔ユーザーによる前記有限個数の座席の中の策定の座席の予約を受け付けるための予約受付手段と、
前記遠隔ユーザーが予約した前記特定の座席又はその上方に配置されたカメラ及び／又はマイクであって、前記イベントが開始される開始時刻と同時に又はその少し前から駆動され、前記イベントの映像及び／又は音情報を取得するためのカメラ及び／又はマイクと、
前記カメラ及び／又はマイクにより取得された映像及び／又は音情報を略リアルタイムに前記遠隔ユーザー側に送信するための映像等送信手段と、
前記特定の座席又はその上方に配置されたディスプレイであって、前記遠隔ユーザー側から送信される情報に基づいて、前記遠隔ユーザーの顔や身体の略リアルタイムの画像を前記特定の座席側から表示するためのディスプレイと、
を備えたことを特徴とする遠隔鑑賞システム。
【請求項３】
映画上映、音楽演奏、演劇、オペラ、寄席、マジック・ショー、スポーツの試合などのイベントを鑑賞するために備えられた有限個数の座席の中の特定の座席を利用してイベントを遠隔のユーザーが遠隔から鑑賞するための遠隔鑑賞システムであって、
前記有限個数の座席の中の特定の座席を事前に予約するための座席予約画面を表示するための情報を遠隔のユーザー側に送信するための座席予約画面送信手段と、
前記遠隔ユーザー側からの情報を受信して前記遠隔ユーザーによる前記有限個数の座席の中の策定の座席の予約を受け付けるための予約受付手段と、
前記遠隔ユーザーが予約した前記特定の座席又はその上方に配置されたカメラ及び／又はマイクであって、前記イベントが開始される開始時刻と同時に又はその少し前から駆動され、前記イベントの映像及び／又は音情報を取得するためのカメラ及び／又はマイクと、
前記カメラ及び／又はマイクにより取得された映像及び／又は音情報を略リアルタイムに前記遠隔ユーザー側に送信するための映像等送信手段と、
前記特定の座席又はその上方に配置された２本のハンド部であって、前記遠隔ユーザー側から送信される情報に基づいて、拍手の動作又は手を振る動作を前記遠隔ユーザーが希望するタイミングで前記遠隔ユーザーに替わって略リアルタイムに行うためのハンド部と、
を備えたことを特徴とする遠隔鑑賞システム。
【請求項４】
遊園地又はテーマパークの施設を利用するために備えられた有限個数の座席の中の特定の座席を利用して、その施設を遠隔のユーザーが遠隔から利用するための遠隔利用システムであって、
前記有限個数の座席の中の特定の座席を事前に予約するための座席予約画面を表示するための情報を遠隔のユーザー側に送信するための座席予約画面送信手段と、
前記遠隔ユーザー側からの情報を受信して前記遠隔ユーザーによる前記有限個数の座席の中の策定の座席の予約を受け付けるための予約受付手段と、
前記遠隔ユーザーが予約した前記特定の座席又はその上方に配置されたカメラであって、前記予約し施設の利用が開始される開始時刻と同時に又はその少し前から駆動され、前記予約した施設の利用の映像を取得するためのカメラと、
前記カメラにより取得された映像を略リアルタイムに前記遠隔ユーザー側に送信するための映像送信手段と、
前記特定の座席又はその上方に配置されたスピーカであって、前記遠隔ユーザー側から送信される情報に基づいて、前記遠隔ユーザーによる拍手や音声などの音情報を略リアルタイムに前記特定の座席側から出力するためのスピーカと、
を備えたことを特徴とする遠隔利用システム。
【請求項５】
遊園地又はテーマパークの施設を利用するために備えられた有限個数の座席の中の特定の座席を利用して、その施設を遠隔のユーザーが遠隔から利用するための遠隔利用システムであって、
前記有限個数の座席の中の特定の座席を事前に予約するための座席予約画面を表示するための情報を遠隔のユーザー側に送信するための座席予約画面送信手段と、
前記遠隔ユーザー側からの情報を受信して前記遠隔ユーザーによる前記有限個数の座席の中の策定の座席の予約を受け付けるための予約受付手段と、
前記遠隔ユーザーが予約した前記特定の座席又はその上方に配置されたカメラであって、前記予約し施設の利用が開始される開始時刻と同時に又はその少し前から駆動され、前記予約した施設の利用の映像を取得するためのカメラと、
前記カメラにより取得された映像を略リアルタイムに前記遠隔ユーザー側に送信するための映像送信手段と、
前記特定の座席又はその上方に配置されたディスプレイであって、前記遠隔ユーザー側から送信される情報に基づいて、前記遠隔ユーザーの顔や身体の略リアルタイムの画像を前記特定の座席側から表示するためのディスプレイと、
を備えたことを特徴とする遠隔利用システム。
【請求項６】
遊園地又はテーマパークの施設を利用するために備えられた有限個数の座席の中の特定の座席を利用して、その施設を遠隔のユーザーが遠隔から利用するための遠隔利用システムであって、
前記有限個数の座席の中の特定の座席を事前に予約するための座席予約画面を表示するための情報を遠隔のユーザー側に送信するための座席予約画面送信手段と、
前記遠隔ユーザー側からの情報を受信して前記遠隔ユーザーによる前記有限個数の座席の中の策定の座席の予約を受け付けるための予約受付手段と、
前記遠隔ユーザーが予約した前記特定の座席又はその上方に配置されたカメラであって、前記予約し施設の利用が開始される開始時刻と同時に又はその少し前から駆動され、前記予約した施設の利用の映像を取得するためのカメラと、
前記カメラにより取得された映像を略リアルタイムに前記遠隔ユーザー側に送信するための映像送信手段と、
前記特定の座席又はその上方に配置された２本のハンド部であって、前記遠隔ユーザー側から送信される情報に基づいて、拍手の動作又は手を振る動作を前記遠隔ユーザーが希望するタイミングで前記遠隔ユーザーに替わって略リアルタイムに行うためのハンド部と、
を備えたことを特徴とする遠隔利用システム。